(57)【要約】【課題】  通信部を介して受信したデータに対して、どのような処理を実行すべきかを容易に決めることができる。【解決手段】  複数の機能を備えるデータ処理装置であって、複数の通信部のそれぞれに対して、ユーザからの指示に従って複数の機能のうち、いずれかの機能を割り当てる割当手段と、複数の通信部のうち、いずれかの通信部を介してデータを受信する受信手段と、受信手段によってデータを受信した場合に、当該データを受信した通信部に対して割当手段によって割り当てられた機能を用いた処理を実行する制御手段と、を備えることを特徴とする。【選択図】  図８
2011014971.tif 000002
【特許請求の範囲】
【請求項１】
複数の機能を有するデータ処理装置であって、
複数の通信部のそれぞれに対して、ユーザからの指示に従って前記複数の機能のうち、いずれかの機能を割り当てる割当手段と、
前記複数の通信部のうち、いずれかの通信部を介して画像入力装置からデータを受信する受信手段と、
前記受信手段によってデータを受信した場合に、当該データを受信した通信部に対して前記割当手段によって割り当てられた機能を用いた処理を実行する制御手段と、
を備えることを特徴とするデータ処理装置。
【請求項２】
前記受信手段によってデータを受信した場合に、当該データを受信した通信部に対して前記割当手段によって割り当てられた機能に対応する設定画面を表示部に表示させる表示制御手段をさらに備えることを特徴とする請求項１記載のデータ処理装置。
【請求項３】
前記画像入力装置の種別を特定する特定手段をさらに備え、
前記表示制御手段は、前記特定手段によって特定された種別に対応する機能を用いた処理を選択するための設定画面を前記表示部に表示させることを特徴とする請求項２記載のデータ処理装置。
【請求項４】
前記画像入力装置は、デジタルカメラ、ＰＤＡ、または携帯電話を含むことを特徴とする請求項１乃至３のいずれかに記載のデータ処理装置。
【請求項５】
前記割当手段によって割り当てられる機能は、前記受信手段によって受信されたデータをプリントするプリント機能、前記受信手段によって受信されたデータを送信する送信機能、前記受信手段によって受信されたデータを記憶部に記憶するデータ格納機能を含むことを特徴とする請求項１乃至４のいずれかに記載のデータ処理装置。
【請求項６】
複数の機能を備えるデータ処理装置であって、
複数の通信部のそれぞれに対して、ユーザからの指示に従って前記複数の機能のうち、いずれかの機能を割り当てる割当工程と、
前記複数の通信部のうち、いずれかの通信部を介して画像入力装置からデータを受信する受信工程と、
前記受信工程にてデータを受信した場合に、当該データを受信した通信部に対して前記割当工程にて割り当てられた機能を用いた処理を実行する制御工程と、
を備えることを特徴とするデータ処理装置の制御方法。
【請求項７】
請求項６に記載のデータ処理装置の制御方法を、コンピュータに実行させるためのプログラム。
【発明の詳細な説明】
【技術分野】
【０００１】
本発明は、データ処理装置、データ処理装置の制御方法、及びプログラムに関するものである。
【背景技術】
【０００２】
従来、近距離で大容量のデータを通信可能な方法がある（特許文献１参照）。このような方法を用いれば、データ処理装置に、携帯電話やデジタルカメラ等の画像入力装置を近づけることによって、画像入力装置に記憶された画像データをデータ処理装置に送信することができる。このような方法を用いれば、データ処理装置の通信部に、携帯電話や通信部デジタルカメラ等の画像入力装置を近づけることによって、画像入力装置に記憶された画像データをデータ処理装置に高速に送信することができる。
【０００３】
例えば、撮影した画像データが記憶されているデジタルカメラを、データ処理装置の通信部に近づけた場合、デジタルカメラに記憶されている画像データをデータ処理装置に送信することができる。
【先行技術文献】
【特許文献】
【０００４】
【特許文献１】特開２００８−９９２３６号公報
【発明の概要】
【発明が解決しようとする課題】
【０００５】
しかしながら、従来のデータ処理装置は、複数の機能を備える場合に、画像入力装置から受信したデータに対して、いずれの機能を用いた処理を行うべきかを、容易に決めることはできなかった。例えば、ユーザは、デジタルカメラ等の画像入力装置をデータ処理装置の通信装置に近づけた後、データ処理装置の操作部を用いて、データ処理装置が有するいずれの機能を用いた処理を実行するかを指示する必要があった。
本発明は、上記の課題を解決するためになされたものである。本発明の目的は、複数の機能を備える場合に、画像入力装置から通信部を介して受信したデータに対して、いずれの機能を用いた処理を実行すべきかを容易に決めることができる仕組みを提供することである。
【課題を解決するための手段】
【０００６】
上記目的を達成する本発明の情画像形成装置は以下に示す構成を備える。
【０００７】
複数の機能を備えるデータ処理装置であって、複数の通信部のそれぞれに対して、ユーザからの指示に従って複数の機能のうち、いずれかの機能を割り当てる割当手段と、複数の通信部のうち、いずれかの通信部を介してデータを受信する受信手段と、受信手段によってデータを受信した場合に、当該データを受信した通信部に対して割当手段によって割り当てられた機能を用いた処理を実行する制御手段と、を備えることを特徴とする。
【発明の効果】
【０００８】
本発明によれば、複数の機能を備える場合に、画像入力装置から通信部を介して受信したデータに対して、いずれの機能を用いた処理を実行すべきかを容易に決めることができる。
【図面の簡単な説明】
【０００９】
【図１】画像形成システムの一例を示すブロック図である。
【図２】画像形成装置の構成を説明するブロック図である。
【図３】画像形成装置の表示部に表示されるＵＩの一例を示す図である。
【図４】画像入力装置の構成を説明するブロック図である。
【図５】画像形成装置の制御手順を示すフローチャートである。
【図６】操作部のタッチパネルに表示されるＵＩを示す図である。
【図７】操作部のタッチパネルに表示されるＵＩを示す図である。
【図８】操作部のタッチパネルに表示されるＵＩを示す図である。
【図９】画像形成装置の操作部に表示されるＵＩを示す図である。
【図１０】画像入力装置の通信処理例を説明するフローチャートである。
【図１１】画像形成装置の通信処理例を説明するフローチャートである。
【図１２】画像入力装置の通信処理例を説明するフローチャートである。
【図１３】画像形成装置の通信処理例を説明するフローチャートである。
【図１４】画像形成装置の操作部に表示されるＵＩを示す図である。
【発明を実施するための形態】
【００１０】
次に本発明を実施するための最良の形態について図面を参照して説明する。ただし、本形態において例示される構成部品の寸法、材質、形状、それらの相対配置などは、本発明が適用される装置の構成や各種条件により適宜変更されるべきものであり、本発明がそれらの例示に限定されるものではない。
＜システム構成の説明＞
〔第１実施形態〕
【００１１】
図１は、本実施形態を示すデータ処理システムの一例である画像形成システムを示すブロック図である。本例は、データ処理装置の一例である画像形成装置と、画像入力装置とが近接無線大容量通信の規格で無線通信可能な画像形成システムである。また、画像形成装置は、リーダ部とプリンタ部とを備える複合機（ＭＦＰ（Ｍｕｌｔｉ  Ｆｕｎｃｔｉｏｎ  Ｐｅｒｉｐｈｅｒａｌ））で構成される場合を示し、画像入力装置が例えばデジタルカメラで構成される場合を示す。ただし、画像入力装置はデジタルカメラに限定されるものではなく、上記データ通信規格に準ずる装置、例えばＩＣカードのメモリカード、或いはＰＤＡ、携帯電話等の携帯端末等であっても本発明を適用可能である。また、本実施形態に示す画像形成装置は、画像入力装置と無線通信するための通信部（カプラ）が干渉し合わない距離をもって複数配置され、かつ、後述するように各通信部に対して画像形成装置の機能が割り当てられている。ここで、通信部（カプラ）は、いわゆる無線通信のためのアンテナ等の装置である。
【００１２】
図１において、画像形成装置１００は、それぞれ、リーダ部（画像入力装置）２００、プリンタ部（画像出力装置）３００、制御装置１１０、操作部１５０、ＨＤＤ１６０、ワイヤレス通信回路部４００−１〜４００−４を含んで構成されている。
リーダ部２００は、原稿画像を光学的に読み取り、画像データに変換するユニットで、原稿を読み取るための機能を有するスキャナユニット２１０と、原稿を搬送するための機能を有する原稿給紙ユニット２５０とから構成される。
また、プリンタ部３００は、記録紙を搬送し、記録紙上に画像データを可視画像として印刷して装置外に排紙するユニットである。プリンタ部３００は、複数種類の記録紙カセットを持つ給紙ユニット３６０と、画像データを記録紙に転写、定着させる機能を持つマーキングユニット３１０と、印刷された記録紙を機外へ出力する排紙ユニット３７０とで構成される。なお、排紙ユニット３７０はソートや、ステイプルをする機能を有していてもよい。
【００１３】
制御装置１１０は、リーダ部２００及びプリンタ部３００と電気的に接続され留と共に、ＬＡＮに接続されている。また、制御装置１１０は、リーダ部２００を制御して原稿の画像データを読込み、読み込んだ画像データをプリンタ部３００で制御して記録紙に出力することでコピー機能を提供する。
また、制御装置１１０は、リーダ部２００から読み取った画像データをＨＤＤ１６０に格納したり、ホストコンピュータに送信したりするスキャナ機能を提供する。さらに、制御装置１１０は、ホストコンピュータからＬＡＮを介して受信したコードデータを画像データに変換し、プリンタ部３００に出力するプリンタ機能も提供する。
【００１４】
操作部１５０は、制御装置１１０に接続され、液晶表示部と液晶表示部上に張り付けられたタッチパネル入力装置と、複数個のハードキーで構成されており、画像形成装置１００を操作するためのユーザＩ／Ｆを提供する。なお、操作部１５０は液晶タッチパネル入力装置のみで構成されていてもよい。。
ワイヤレス通信回路部４００−１〜４００−４は、ワイヤレス通信に必要な高周波回路部，符号化・復号化回路部，無線通信時のＦＩＦＯメモリ等から構成されている。ワイヤレス通信回路部４００−１〜４００−４は、対応するアンテナ４０１〜４０４が接続されている。なお、本実施形態においては、ワイヤレス通信回路部と、それに対応するアンテナとが、通信部として機能する。ワイヤレス通信回路部４００−１〜４００−４と、それぞれに対応するアンテナ４０１〜４０４とを合わせたものを、通信部１〜４とする。
【００１５】
なお、画像形成装置１００の各通信部は、互いに無線通信が干渉し合わない位置に配置されているため、ユーザは、通信部に対して画像入力装置を近づけて載置（セット）することで、後述する機能選択処理が実行される構成となっている。なお、図示していないが、ワイヤレス通信回路部４００−１〜４００−４は、画像入力装置をセットするために充分な面積を有し、地面にほぼ水平に設けられた台座に配置するようにすればよい。
それによって、ユーザは、台座の上に配置された通信部に対して、画像入力装置１０００をセットしやすくなる。また、台座のどの位置に通信部があるかを、ユーザに識別させるためのマークを、台座に付与しておくとよい。そして、ＣＰＵ１１２は、通信部１〜４を介して、当該台座に載置（セット）された画像入力装置１０００と通信するようにすればよい。また、通信部の数は４つに限定されるものではない。なお、本実施形態では、複数の通信部１〜４が無線接続部として機能し、画像形成装置１００は、いずれかの通信部１〜４に近接して載置される画像入力装置１０００と無線通信を行う例を説明する。
（制御装置１１０の説明）
次に、制御装置１１０の機能を図２に示すブロック図を参照して説明する。なお、グラフィックプロセッサ１３５の詳細構成はそれぞれ図６を参照して後述し、ここでは同じ図面により制御装置１１０の構成を説明する。
図２は、図１に示した画像形成装置１００の構成を説明するブロック図である。なお、図１と同一のものには同じ符号を付している。
図２において、制御装置１１０のメインコントローラ１１１は、主にＣＰＵ１１２と、バスコントローラ１１３、各種Ｉ／Ｆコントローラ回路とから構成される。
【００１６】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基づいて動作する。
また、ホストコンピュータから受信したＰＤＬ（ページ記述言語）コードデータを解釈し、ラスターイメージデータに展開する動作もこのプログラムに記述されており、ソフトウェアによって処理することができる。
【００１７】
バスコントローラ１１３は各Ｉ／Ｆから入出力されるデータ転送を制御するものであり、バスの調停やＤＭＡデータ転送の制御を行う。
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。
【００１８】
ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。グラフィックプロセッサ１３５は、画像回転、変倍処理等の処理を行う。
なお、第１実施形態においては、画像形成装置１００のグラフィックプロセッサ１３５は、更に、バーコード情報、透かし情報の抽出・解析や生成・埋め込み等の処理も行う。ＳＲＡＭ１３６はグラフィックプロセッサ１３５の一時的なワーク領域として使用される。
外部通信Ｉ／Ｆ１２１はＩ／Ｆ１２３によってメインコントローラ１１１と接続され、コネクタ１２２によって外部ネットワークと接続される。
【００１９】
汎用高速バス１２５には、拡張ボードを接続するための拡張コネクタ１２４とＩ／Ｏ制御部１２６とが接続される。ここで、汎用高速バスとしては、一般的にＰＣＩバスがあげられる。Ｉ／Ｏ制御部１２６には、リーダ部２００、プリンタ部３００の各ＣＰＵと制御コマンドを送受信するための調歩同期シリアル通信コントローラ１２７が２チャンネル装備されている。
さらに、前記Ｉ／Ｏ制御部１２６には、Ｉ／Ｏバス１２８によってスキャナＩ／Ｆ１４０、プリンタＩ／Ｆ１４５に接続されている。
パネルＩ／Ｆ１３２は、ＬＣＤコントローラ１３１に接続され、操作部１５０上の液晶表示部に表示を行うためのＩ／Ｆと、ハードキーやタッチパネルキーの入力を行うためのキー入力Ｉ／Ｆ１３０で構成される。
操作部１５０から入力された信号は、パネルＩ／Ｆ１３２を介してＣＰＵ１１２に伝えられ、操作部１５０の液晶表示部はパネルＩ／Ｆ１３２から送られてきた画像データを表示する。液晶表示部には、画像形成装置１００の操作における機能表示や画像データ等も表示される。
【００２０】
リアルタイムクロックモジュール１３３は、装置内で管理する日付と時刻を更新及び保存するためのもので、バックアップ電池１３４によってバックアップされている。
Ｅ−ＩＤＥコネクタ１６１は、外部記憶装置を接続するためのものである。図１に示す例では、このＥ−ＩＤＥコネクタ１６１を介してハードディスクドライブ１６０を接続し、ハードディスク１６２へ画像データを記憶させたり、ハードディスク１６２から画像データを読み込む動作を行う。勿論、ハードディスク以外の公知の外部記憶装置を接続するものであってもよい。
【００２１】
コネクタ１４２と１４７は、それぞれリーダ部２００とプリンタ部３００とに接続され、同調歩同期シリアルＩ／Ｆ１４３、１４８とビデオＩ／Ｆ１４４、１４９とを介してスキャナＩ／Ｆ１４０、プリンタＩ／Ｆ１４５にそれぞれ接続される。
スキャナＩ／Ｆ１４０は、コネクタ１４２を介してリーダ部２００と接続され、スキャナバス１４１によってメインコントローラ１１１と接続されている。加えて、スキャナＩ／Ｆ１４０は、リーダ部２００から受け取った画像に対して所定の処理を施す機能を有し、さらに、リーダ部２００から送られたビデオ制御信号をもとに生成した制御信号を、スキャナバス１４１に出力する機能も有する。なお、スキャナバス１４１からＤＲＡＭ１１６へのデータ転送は、バスコントローラ１１３によって制御される。
【００２２】
プリンタＩ／Ｆ１４５は、コネクタ１４７を介してプリンタ部３００と接続され、プリンタバス１４６によってメインコントローラ１１１と接続されている。加えて、前記プリンタＩ／Ｆ１４５は、メインコントローラ１１１から出力された画像データに所定の処理を施して、プリンタ部３００へ出力する機能を有する。
さらに、プリンタ部３００から送られたビデオ制御信号をもとに生成した制御信号を、プリンタバス１４６に出力する機能も有する。
【００２３】
ＤＲＡＭ１１６上に展開されたラスターイメージデータのプリンタ部３００への転送は、バスコントローラ１１３によって制御され、プリンタバス１４６、ビデオＩ／Ｆ１４９を経由して、プリンタ部３００へＤＭＡ転送される。
（操作部の説明）
図３は、図１に示した画像形成装置１００の操作部１５０の表示部に表示されるユーザインタフェースの一例を示す図である。本例は、画像形成装置１００の基本画面に対応する。なお、この基本画面はタッチパネルとなっており、それぞれ表示される機能の枠内を触れることにより、その機能が実行される。
図３において、コピーモードキー５２４は、複写動作を行う場合に押すキーである。そして、このコピーモードキー５２４が押されたときに、コピーモードの画面５３０を表示する。拡張機能キー５０１は、両面複写、多重複写、移動、綴じ代の設定、枠消しの設定等のモードに入るためのキーである。
【００２４】
５４０はステータスラインであり、機器の状態や印刷情報を示すメッセージを表示する。図３の場合、コピー待機中であることを示している。
画像モードキー５０２は、複写画像に対して網掛け、影付け、トリミング、マスキングを行うための設定モードに入るためのキーである。ユーザモードキー５０３は、モードメモリの登録、標準モード画面の設定を行うためのキーである。
応用ズームキー５０４は、原稿のＸ方向、Ｙ方向を独立に変倍するモード、及び、原稿サイズと複写サイズから変倍率を計算するズームプログラムのモードに入るためのキーである。
また、Ｍ１キー５０５、Ｍ２キー５０６、Ｍ３キー５０７は、それぞれに登録されたモードメモリを呼び出す際に用いられるキーである。オプションキー５０９は、フィルムから直接複写するため、フィルムプロジェクタ等のオプション機能の設定を行うキーである。
【００２５】
ソータキー５１０は、ソート、ノンソート、グループの設定を行うキーである。原稿混載キー５１１は、原稿フィーダにＡ４サイズとＡ３サイズ、またはＢ５サイズとＢ４サイズと言うように、異なるサイズの原稿を一緒にセットする際に押すキーである。
【００２６】
等倍キー５１２は、複写倍率を１００％にするためのキーである。縮小キー５１４、拡大キー５１５は、それぞれ定型の縮小、拡大を行うためのキーである。ズームキー５１６は任意の変倍率を設定する為の操作に移行するためのキーである。用紙選択キー５１３は、複写用紙の選択を行う際に押すキーである。
５１８、５２０は濃度キーで、濃度キー５１８を押す毎に濃く複写され、キー５２０を押す毎に薄く複写される。濃度表示５１７は、濃度キー５１８、５２０の押下に応じて濃度を示す表示が左右に変化する。
【００２７】
ＡＥキー５１９は、例えば新聞のような地肌の濃い原稿を自動濃度調整して複写する処理を指示するためのキーである。ＨｉＦｉキー５２１は、写真原稿のように中間調の濃度が濃い原稿の複写の際に押すキーである。文字強調キー５２２は、文字原稿の複写で文字を際だたせる処理を指示するための押すキーである。
５６０は履歴キーであり、これを押下することで、印刷済みのジョブの履歴情報が表示される。たとえば、印刷ジョブの、終了時刻、ユーザ名、ファイル名、印刷枚数等の情報を表示する。
【００２８】
ガイドキー５２３は、キーの機能がわからないとき押すキーであり、キーの説明が表示される。ファックスキー５２５は、ファックスを行うときに押すキーである。
Ｂｏｘキー５２６は、ＨＤＤ１６０上に確保されるボックス領域に蓄積されたデータに対するボックス機能を表示させたいときに押すキーである。プリンタキー５２７は、プリントの濃度を変更する、あるいは、リモートのホストコンピュータからのＰＤＬデータのプリント出力詳細情報を参照したい場合に押すキーである。
ＩＤキー５２８は画像形成装置のＩＤ（例えばＩＰアドレスなどのネットワークアドレスやマシン名などの情報）を表示する指示をするためのキーである。
次に、画像入力装置１０００の構成を説明する。
図４は、図１に示した画像入力装置１０００の構成を説明するブロック図である。本例は、画像入力装置１０００が、デジタルカメラや、携帯電話で構成される場合を示す。なお、携帯電話で構成される場合は、図示した構成に加えて、公衆回線と無線通信するためのアンテナも備えるものとする。
図４において、画像入力装置１０００は、ＣＰＵ１００１，ＲＯＭ１００２，ＲＡＭ１００３，ワイヤレス通信回路部１００４，アンテナ１０１４，撮像部１００５，操作部１００６，表示部１００７，２次記憶部１００８から構成されている。そして、図示するように相互に接続されている。また、画像入力装置１０００は電源回路部１００９を備え、前記各ブロックに電源を供給する。
【００２９】
ＣＰＵ１００１は、ＲＯＭ１００２に格納されているプログラムに従って動作し、画像入力装置１０００の各種動作を制御する。ＲＯＭ１００２は、画像入力装置１０００における制御手順等を予め格納した不揮発性メモリである。
ＲＡＭ１００３は、撮像部１００５から出力されるデジタル画像データの一時的なバッファリング、２次記憶部１００８へ書き込むデータや２次記憶部から読み出したデータの一時的な記憶を持つ。
さらに、ＣＰＵ１００１の演算等に使用するワークエリア、各種設定等を一時的に格納するエリアとして使用される。ワイヤレス通信回路部１００４は、ワイヤレス通信に必要な高周波回路部，符号化・復号化回路部，無線通信時のＦＩＦＯメモリ等から構成され、通信部１０１４が接続されている。
撮像部１００５は、入射する光を結像するレンズ、結像した光を電気信号へ変換する光電変換器（ＣＣＤやＣＭＯＳセンサ等）を備える。また、撮像部１００５は、光電変換器から出力されるアナログ電気信号をデジタル電気信号へ変換するＡＤコンバータ（アナログ−デジタル変換器）等を備える。
【００３０】
操作部１００６は、撮影を指示するレリーズボタン、デジタルカメラの動作モードを選択するモード選択ダイヤル、メニュー項目を呼び出すメニューボタンを備える。また、操作部１００６は、メニュー項目を選択・指示する十字カーソルボタン等のボタン、ダイヤル、スイッチを備える。
これらボタン、ダイヤル、スイッチの状態及び状態変化を電気信号として出力する。表示部１００７は小型液晶表示装置、カラー液晶表示装置で構成される。
２次記憶部１００８は撮影したデジタル画像データ等を格納する。内蔵型の不揮発性メモリを２次記憶部として持つ構成や、本体から着脱可能なメモリカード等を２次記憶部として持つ構成があり、どちらの構成を取っても構わない。電源回路部１００９はバッテリ、ＤＣ／ＤＣコンバータ等で構成され、前述した各ブロックへ電源を供給する。前述の構成を持つ画像入力装置１０００は、撮影したデジタル画像を他の電子機器へ無線通信によって送信する機能を有する。
【００３１】
図５は、本実施形態を示す画像形成装置１００の制御手順の一例を示すフローチャートである。本例は、図１に示した画像形成装置１００の各通信部に対して、画像形成装置１００で実行可能な機能を割り当てる機能割り当て処理を示す例である。なお、Ｓ１５０１〜Ｓ１５０４は各ステップを示す。また、各ステップは、ＣＰＵ１１２がＲＯＭ１１４から制御プログラムをＤＲＡＭ１１６にロードして実行することで実現される。
図６〜図８は、図１に示した操作部１５０のタッチパネルに表示されるユーザインタフェースを示す図である。なお、図６は通信部機能を割当てるための通信部の選択画面１６０１である。選択画面１６０１には、通信部を選択するための選択肢表示領域１６０２がある。この選択肢表示領域１６０２は、上述した不図示の台座を上から見た外観図に対応している。すなわち、ユーザは、これら複数の通信部に機能を割当て、いずれかの通信部に画像入力装置を近づけることによって、画像入力装置内のデータを、当該通信部に割当てられた機能を用いてデータ処理装置１０００に処理させることができる。ボタンＢ４０１〜Ｂ４０３は、それぞれ、通信部１〜４に対応する。選択肢表示領域１６０２で通信部を選択して、機能を割り当てる場合は、次へボタン１６０４を押下し、機能割当て処理をキャンセルする場合は、キャンセルボタン１６０３を押下する。
【００３２】
また、図７は機能を割り当てるための機能選択画面１７０１である。機能選択画面１７０１には、通信部に、画像形成装置１００が有する機能を割当てるための割り当て機能表示領域１７０２がある。割り当て機能表示領域１７０２で機能を選択して、処理を続行する場合はＯＫボタン１７０４を押下し、処理をキャンセルする場合は、キャンセルボタン１７０３を押下する。
図８は通信部に割り当てた機能を確認するための割り当て機能確認画面１８０１である。割り当て機能確認画面１８０１では、割り当て機能表示領域１８０２によって、通信部４０１に割り当てた画像形成装置１００の機能を確認できる。また、他の通信部４０１に機能を割り当てる場合、もしくは、機能割り当て済みの通信部４０１に別の機能を割り当てたい場合は、さらに割り当てボタン１８０３を押下する。ここで処理を完了する場合は、完了ボタン１８０４を押下する。
【００３３】
なお、本実施形態では、通信部に割当てる機能の例として、ＲＥＣＥＩＶＥ  ｔｏ  プリント、ＲＥＣＥＩＶＥ  ｔｏ  ＳＥＮＤ、ＲＥＣＥＩＶＥ  ｔｏ  ＢＯＸ、ＲＥＣＥＩＶＥ  ｔｏ  プレビューと表示している。また、図８に示す例では、４つの通信部のうちの１つの通信部にしか機能が割り当てられていないが、さらに割り当てボタン１８０３等を利用して、２つ以上の通信部に機能を割り当てることも可能である。また、４つの通信部のうちの、いくつかの通信部に関しては、ユーザによる使用頻度の高いＲＥＣＥＩＶＥ  ｔｏ  プリント等の機能を固定で割り当てるようにしてもよい。
【００３４】
以下、本第１の実施形態において、通信部に画像入力装置１０００を近づけた時に、特定の機能を動作させるための事前準備について説明する。
まず、Ｓ１５０１において、画像形成装置１００の操作部１５０では、図６の選択画面１６０１を表示して、画面から複数の通信部４０１〜４０４のうち、いずれかの通信部をユーザが選択するための画面を表示する。当該画面を介して、ユーザは機能を割り当てるべき通信部４０１に対応するボタンを選択する。ここでは、例として、ボタンＢ４０１が選択されたとする。
その後、次へボタン１６０４が押下されると、画面表示は図７に示す画面に切り替わる。なお、キャンセルボタン１６０３が押下された場合は、図６に示す画面が基本画面に切り替わる。なお、これらの表示制御は、ＣＰＵ１１２が、ＲＯＭ１１４に記憶されたプログラムに従って実行される例を説明するが、操作部１５０が独自の制御部を有し、当該制御部がＣＰＵ１１２からの指示で表示制御を行うようにしてもよい。
【００３５】
次に、Ｓ１５０２において、画像形成装置１００の操作部１５０では、ＣＰＵ１１２の表示制御に基づいて図７の機能選択画面１７０１が表示される。この画面でユーザは通信部４０１に割り当てる機能を選択する。ここでは、ＲＥＣＥＩＶＥ  ｔｏ  プリント、ＲＥＣＥＩＶＥ  ｔｏ  ＳＥＮＤ、ＲＥＣＥＩＶＥ  ｔｏ  ＢＯＸ、ＲＥＣＥＩＶＥ  ｔｏ  プレビュー機能を選択できる例を示すが、他の機能が含まれていてもよい。ＲＥＣＥＩＶＥ  ｔｏ  プリント機能とは、画像形成装置１００が有するプリント機能を用いて実行する処理であって、画像入力装置１０００から受信したデータをプリント部３００によってプリントする機能である。
【００３６】
ＲＥＣＥＩＶＥ  ｔｏ  ＳＥＮＤ機能とは、画像形成装置が有するデータ送信機能を用いて実行する処理であって、画像入力装置１０００から受信したデータを不図示のネットワークを介して外部のＰＣに送信する機能である。ＲＥＣＥＩＶＥ  ｔｏ  ＢＯＸ機能とは、画像形成装置１００が有するＢＯＸ機能（データ格納機能）を用いて実行する処理であって、画像入力装置１０００から受信したデータをＨＤＤ１６０の所定の領域に格納する機能である。ＲＥＣＥＩＶＥ  ｔｏ  プレビュー機能とは、画像形成装置１００が有するプレビュー機能を用いて実行する処理であって、画像入力装置１０００から受信したデータを操作部１５０の表示部に表示する機能である。
次に、Ｓ１５０３で、ＣＰＵ１１２は、画像形成装置１００の操作部１５０に、図８に示す割り当て機能確認画面１８０１を表示する。この割り当て機能確認画面１８０１では通信部に割り当てた機能を表示する。
そして、Ｓ１５０４では、機能確認画面１８０１からさらに別の通信部に機能を割り当てる要求があるかどうかをＣＰＵ１１２が判断する。ここで、別の通信部に機能を割り当てる要求があるとＣＰＵ１１２が判断した場合は、Ｓ１５０１へ戻り、引き続き、通信部に機能を割当てる処理を実行する。
一方、Ｓ１５０４で、別の通信部に機能を割り当てる要求がないとＣＰＵ１１２が判断した場合は、本処理を終了する。
【００３７】
図９は、本実施形態を示す画像形成装置１００の操作部１５０に表示されるユーザインタフェースの一例を示す図である。本例は、上述の操作により機能を割り当てた通信部４０１に画像入力装置１０００を置いた場合に、操作部１５０に表示されるユーザインタフェースの例である。なお、本画面も図６、図７、図８と同様に画像形成装置１００内の操作部１５０に表示される。
図９の表示画面１９０１は、画像入力装置１０００の一例であるデジタルカメラが、図８に示すＲＥＣＥＩＶＥ  ｔｏ  プリント機能が割当てられた通信部と通信可能な距離に置かれた場合に表示される画面の例を示している。
【００３８】
画像表示領域１９０２には画像入力装置１０００に記憶されている画像データを表示している。本実施形態ではサムネイル形式で表示しているが、リスト形式の表示やプレビュー形式の表示であってもよい。
ページめくりボタン１９０３では、画像が１ページ以上ある場合に前ページ、次ページの移動を行うことが可能である。処理をキャンセルする場合、ユーザはキャンセルボタン１９０４を押下する。ユーザは、画像を選択して、ＪＥＴｔｏプリントボタン１９０５を押下することによって、画像データのプリントを画像形成装置１００に実行させる。
次に、図１０及び図１１を用いて画像形成システムにおける、画像入力装置１０００と画像形成装置１００の処理手順を説明する。
【００３９】
まず、図１０を用いて、画像入力装置１０００における処理手順を説明する。
Ｓ１４０１で、ＣＰＵ１００１は、自装置の通信部（ワイヤレス通信回路部１００４とアンテナ１０１４）を介して通信可能な範囲内に、画像形成装置の通信部（通信部１〜４のいずれか）が存在するか否かを判定する。ここで、自装置の通信部を介して通信可能な範囲とは、例えば、アンテナ１０１４から半径３ｃｍ以内である。
Ｓ１４０１で存在すると判定した場合、ＣＰＵ１００１は、画像形成装置１００と通信可能であると判断し、Ｓ１４０２で、２次記憶部１００８内の画像データを画像形成装置１００に送信する。ここで、送信される画像データは、２次記憶部１００８内の全ての画像データであってもよいし、ユーザによって予め指定された範囲の画像データであってもよい。
【００４０】
次に、図１１を用いて、画像形成装置１００における処理手順を説明する。
S１６０１で、ＣＰＵ１１２は、通信部１〜４のいずれかの通信部と通信可能な範囲内に、画像入力装置１０００が存在することを検知し、当該画像入力装置１０００と通信可能か否かを判定する。ここで、通信部と通信可能な範囲内とは、例えば、通信部から半径３ｃｍ以内である。
通信可能であると判定した場合、Ｓ１６０２で、ＣＰＵ１１２は、画像入力装置１０００から画像データを受信し、Ｓ１６０３で、ＨＤＤ１６０に記憶する。
Ｓ１６０４で、ＣＰＵ１１２は、通信に使用した通信部、即ち、Ｓ１６０２で画像データの受信に使用した通信部を特定する。具体的に、ＣＰＵ１１２は、Ｓ１６０１で、通信部１〜４のいずれの通信部と通信可能な可能な範囲に、画像入力装置１０００が存在したかを記憶しておき、記憶された情報に基づいて、通信に用いられた通信部を特定する。
Ｓ１６０５で、ＣＰＵ１１２は、通信に用いられた通信部が通信部１であるか否かを判定する。通信部１であると判定した場合、ＣＰＵ１１２は、Ｓ１６０８で、通信部１に割り当てられた機能メニューを表示する。図９は、機能メニューの表示例である。
【００４１】
なお、表示画面は図９に示すものに限らず、図９以外に、画像データの処理を詳細に設定できる画面をＣＰＵ１１２が表示してもよい。
Ｓ１６０５で、通信部１ではないと判定した場合、Ｓ１６０６で、ＣＰＵ１１２は、通信に用いられた通信部が通信部２であるか否かを判定する。通信部２であると判定した場合、ＣＰＵ１１２は、Ｓ１６０９で通信部２に割り当てられた機能メニューを表示する。
Ｓ１６０６で、通信部２ではないと判定した場合、Ｓ１６０７で、ＣＰＵ１１２は、通信に用いられた通信部が通信部３であるか否かを判定する。通信部２であると判定した場合、ＣＰＵ１１２は、Ｓ１６１０で通信部３に割り当てられた機能メニューを表示する。
【００４２】
Ｓ１６０７で、通信部３ではないと判定した場合、Ｓ１６１０で、ＣＰＵ１１２は、通信部４に割り当てられた機能メニューを表示する。
Ｓ１６１２で、ＣＰＵ１１２は、表示された機能メニューを介して、ユーザから処理対象の画像データの選択と、その他の処理設定を受付ける。その他の処理設定とは、プリント処理の場合、印刷レイアウトの設定や、印刷濃度の設定である。ＣＰＵ１１２は、不図示のボタンによって、印刷レイアウトや、印刷濃度の設定をユーザから受付けるようにすればよい。
Ｓ１６１３で、ＣＰＵ１１２は、ユーザから、処理を開始させる指示を受付けたと判定した場合、Ｓ１６１４に処理を進め、Ｓ１６１２で受付けた設定に従って、処理を実行する。
【００４３】
このように、本実施形態では、画像入力装置と画像形成装置を含む画像形成システムで、通信部４０１にあらかじめ画像形成装置１００の機能を事前に割り当てておく。そして、画像形成装置は、通信部４０１に画像入力装置１０００が近づけられた場合に、特定の機能に特化した画面を表示する。そのため、ユーザは画像入力装置１０００内の画像データに対して所定の処理を実行させる際に、毎回処理内容を指示せずとも、画像入力装置１０００を通信部に近づけることによって、所望の機能を用いた処理を実行させることができる。その結果、画像形成装置１００の操作性を向上することが可能となる。
【００４４】
〔第２実施形態〕
第２実施形態は、通信部に近づけられた画像入力装置１０００に特有のコンテンツや機能によって、画像入力装置１０００に適した機能メニューを追加表示する例である。なお、図１〜図８を用いて説明した、画像入力装置１０００、及び画像形成装置１００の構成は第１の実施形態と同様のため、詳しい説明を省略する。
図１２及び図１３を用いて画像形成システムにおける、画像入力装置１０００と画像形成装置１００の処理手順を説明する。
図１２は、図１に示した画像入力装置１０００側の処理に対応し、図１３は、図１に示した画像形成装置１００側の処理に対応する。なお、図１２に示す各処理は、画像入力装置１０００のＣＰＵ１００１がＲＯＭ１００２から制御プログラムをＲＡＭ１００３にロードして実行することで実現される。また、図１３に示す各処理は、画像形成装置１００のＣＰＵ１１２がＲＯＭ１１４から制御プログラムをＤＲＡＭ１１６にロードして実行することで実現される。
【００４５】
なお、図１４は、本実施形態を示す画像形成装置１００の操作部１５０に表示されるユーザインタフェースの一例を示す図である。本例は、機能を割り当てた通信部に画像入力装置１０００を置いた場合に表示される設定画面の例である。本画面も図６、図７、図８と同様に画像形成装置１００内の操作部１５０に表示される。ここで、設定画面は、通信部に対応付けられているため、プリント機能に関わる設定画面が自動的に表示される。
図１４において、表示画面２１０１では、画像入力装置１０００としてデジタルカメラが置かれた場合の例を図示している。画像表示領域２１０２には画像入力装置１０００に保管されている画像を表示している。本実施形態ではサムネイル形式で表示しているが、リスト形式の表示やプレビュー形式の表示であってもよい。
ページめくりボタン２１０３では、画像が１ページ以上ある場合に前ページ、次ページの移動を行うことが可能である。ユーザが処理をキャンセルする場合にはキャンセルボタン２１０４を押下する。ユーザが画像データを選択して、ＲＥＣＥＩＶＥｔｏプリントボタン２１０５を押下すると、画像データのプリントを可能とする。
さらに、画像入力装置の種別がデジタルカメラである場合に、ＲＥＣＥＩＶＥｔｏプリントボタン２１０５に加えて、Ｉｎｄｅｘプリントボタン２１０６とカメラプリントボタン２１０７が表示される。Ｉｎｄｅｘプリントボタン２１０６が選択されると、ＣＰＵ１１２は、画像入力装置１０００から受信し、ＨＤＤ１６０に記憶された画像データのサムネイル画像を生成し、生成されたサムネイル画像を１枚の記録紙に並べて印刷する。
これによって、ユーザは、どのような画像が、画像入力装置１０００に記憶されているかを１枚の記録紙によって知ることができる。カメラプリントボタン２１０７が選択されると、ＣＰＵ１１２は、図１４を介して選択された画像データを、解像度を、初期値よりも高く設定してプリントする。
【００４６】
図１２は、画像入力装置１０００における処理手順を説明するための図である。
第１の実施形態と同様の処理については、同様の符号を付与しており、詳しい説明は省略する。
Ｓ１４０１で、画像入力装置１０００のＣＰＵ１００１は、画像形成装置１００と通信可能であると判断すると、Ｓ２００１で、自装置のプロファイルを画像形成装置１００に送信する。そして、Ｓ１４０２で、ＣＰＵ１００１は、画像形成装置１００に、２次記憶部１００８に記憶された画像データを送信する。
図１３は、画像形成装置１００における処理手順を説明するための図である。
図１３についても、図１２と同様に、第１の実施形態と同様の処理については、同様の符号を付与しており、詳しい説明は省略する。
第１の実施形態と異なる点は、主に、Ｓ２０１１及びＳ２０１２である。また、Ｓ１６０２で、ＣＰＵ１１２は、画像データに加えて、画像入力装置１０００の種別を示すプロファイルを受信し、Ｓ１６０３で、受信した画像データとプロファイルを記憶する。
【００４７】
Ｓ２０１１で、画像形成装置１００のＣＰＵ１１２は、Ｓ１６０２で受信した、画像入力装置１０００のプロファイルを解析し、画像入力装置１０００の種別を特定する。そして、Ｓ２０１２に処理を進める。
Ｓ２０１２で、ＣＰＵ１１２は、特定された種別に基づいて、画像入力装置１０００に適したメニューを追加表示する。図１４はその表示例である。具体的に、ＣＰＵ１１２は、画像入力装置１０００から受信したプロファイルを解析した結果、画像入力装置１０００がデジタルカメラであると特定し、ＨＤＤ１６０に予め用意されたデジタルカメラ用の表示画面を操作部１６０に表示させる。具体的には、デバイスの種類に関係なく表示されるＲＥＣＥＩＶＥ  ｔｏ  プリントボタン２１０５に加えて、Ｉｎｄｅｘプリントボタン２１０６とカメラプリント２１０７とが表示される。
【００４８】
以上説明した第２実施形態によれば、画像入力装置と画像形成装置を含む画像形成システムで、無線接続部に画像入力装置が近づけられた場合に画像入力装置の種別を画像形成装置で検知する。それによって画像形成装置に適したメニューを追加して表示することができ、画像形成装置の操作性を向上させることができる。
なお、１つの通信部に対して画像入力装置１０００が近づけられ、当該通信部に割当てられた機能を用いた処理が実行されている間に、別の通信部から画像データを受信するようにしてもよい。この場合、ＣＰＵ１１２は、現在実行中の処理の完了後、当該別の通信部から受信した画像データを処理する。それによって、ユーザは、複数の処理の実行を予約することができる。なお、この際、ＣＰＵ１１２は、現在実行中の処理と、予約された処理とが並行して処理可能な処理であれば、それらの処理を並行して実行し、並行して処理可能でなければ、順に実行すればよい。並行して実行可能な場合とは、例えば、現在実行中の処理が、ＲＥＣＥＩＶＥ  ｔｏ  プリント機能を用いた処理であり、予約された処理がＲＥＣＥＩＶＥ  ｔｏ  ＳＥＮＤ機能を用いた処理である場合である。
また、並行して実行可能不可能な場合とは、例えば、現在実行中の処理も、予約された処理も、ＲＥＣＥＩＶＥ  ｔｏ  プリント機能を用いた処理である場合である。この場合、プリンタ部３００が共通に用いられるために、並行して処理することは不可能である。
また、上述の実施形態では、通信部を介して画像データを入力して処理する場合について説明したが、画像を出力する場合にも適用することができる。例えば、画像データを縮小して送信する機能や、カラー画像データをモノクロに変換して出力する機能を通信部に割り当てておく。そして、ＣＰＵ１１２は、画像入力装置１０００が近づけられた通信部に対応する機能を実行して、画像データを画像入力装置１０００に記憶させればよい。
【００４９】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
本発明は上記実施形態に限定されるものではなく、本発明の趣旨に基づき種々の変形（各実施形態の有機的な組合せを含む）が可能であり、それらを本発明の範囲から除外するものではない。
本発明の様々な例と実施形態を示して説明したが、当業者であれば、本発明の趣旨と範囲は、本明細書内の特定の説明に限定されるのではない。
【符号の説明】
【００５０】
１００  画像形成装置
１０００  画像入力装置
【図１】
2011014971.tif 000003
【図２】
2011014971.tif 000004
【図３】
2011014971.tif 000005
【図４】
2011014971.tif 000006
【図５】
2011014971.tif 000007
【図６】
2011014971.tif 000008
【図７】
2011014971.tif 000009
【図８】
2011014971.tif 000010
【図９】
2011014971.tif 000011
【図１０】
2011014971.tif 000012
【図１１】
2011014971.tif 000013
【図１２】
2011014971.tif 000014
【図１３】
2011014971.tif 000015
【図１４】
2011014971.tif 000016